(57)【要約】【課題】他コネクタの他コネクタ側コンタクトと電気的に接続された状態におけるコンタクトの強度を向上すること。【解決手段】コネクタ１０１は、ハウジング１と、コンタクト２と、を備える。ハウジング１は、他コネクタの他コネクタ側ハウジングが嵌る凹部１３、及び凹部１３を囲む周壁１２を有する。コンタクト２は、ハウジング１に保持される。コンタクト２は、一対の保持部２１と、一対の接続部２２と、を有する。一対の保持部２１は、凹部１３を挟んで周壁１２に保持される。一対の接続部２２は、それぞれ一対の保持部２１にて凹部１３に露出して対向するように設けられ、かつ、他コネクタの他コネクタ側コンタクトと電気的に接続される。【選択図】図１
2018152190.tif 000002
【特許請求の範囲】
【請求項１】
他コネクタの他コネクタ側ハウジングが嵌る凹部、及び前記凹部を囲む周壁を有するハウジングと、
前記ハウジングに保持されるコンタクトと、を備え、
前記コンタクトは、
前記凹部を挟んで前記周壁に保持される一対の保持部と、
それぞれ前記一対の保持部にて前記凹部に露出して対向するように設けられ、かつ、前記他コネクタの他コネクタ側コンタクトと電気的に接続される一対の接続部と、を有する
コネクタ。
【請求項２】
前記コンタクトは、前記一対の保持部が並ぶ方向の両端部の各々に設けられ、基板に接合される一対の接合部を更に有する
請求項１記載のコネクタ。
【請求項３】
前記一対の接続部の各々は、所定以上の力が加わることにより前記コンタクトと前記他コネクタ側コンタクトとの接続状態を解除可能とするロック機構を有する
請求項１又は２に記載のコネクタ。
【請求項４】
前記コンタクトは、
前記凹部の底壁にて前記一対の保持部を繋ぐ底部を更に有し、
前記一対の保持部の各々は、
前記凹部に露出する内側片と、
前記内側片と対向する外側片と、
前記内側片及び前記外側片の各々における前記底部と反対側の一端を繋ぐ繋ぎ片と、を有し、
前記一対の接続部の各々は、前記内側片である
請求項１〜３のいずれか１項に記載のコネクタ。
【請求項５】
前記外側片は、前記周壁に保持される
請求項４記載のコネクタ。
【請求項６】
前記外側片は、前記内側片に対向する面と反対側の面が前記周壁の一部の壁に接している
請求項５記載のコネクタ。
【請求項７】
前記一対の保持部は、前記凹部の内側にて障害物を挟むことなく対向している
請求項４〜６のいずれか１項に記載のコネクタ。
【請求項８】
前記コンタクトは、
前記一対の保持部よりも外側であって前記一対の保持部が並ぶ方向の両端部の各々に設けられ、基板に接合される一対の接合部と、
前記凹部の底壁にて前記一対の保持部を繋ぐ底部と、を更に有し、
前記一対の保持部の各々は、
前記凹部に露出する内側片と、
前記内側片と対向する外側片と、
前記内側片及び前記外側片の各々における前記底部と反対側の一端を繋ぐ繋ぎ片と、を有し、
前記一対の接続部の各々は、前記内側片である
請求項１記載のコネクタ。
【請求項９】
請求項１〜８のいずれか１項に記載のコネクタと接続される他コネクタとしてのヘッダであって、
前記凹部に嵌まる主部を有する他コネクタ側ハウジングと、
それぞれ一部が前記主部の外側に露出するように前記主部に保持され、前記一対の接続部と１対１に電気的に接続される一対の他コネクタ側コンタクトと、を備える
ヘッダ。
【請求項１０】
前記一対の他コネクタ側コンタクトの間は、前記主部により埋められている
請求項９記載のヘッダ。
【請求項１１】
前記他コネクタ側ハウジングは、前記主部における前記一対の他コネクタ側コンタクトが並ぶ方向と交差する方向の両端からそれぞれ突出する一対のフランジを更に有し、
前記一対のフランジは、前記一対の他コネクタ側コンタクトが並ぶ方向において、前記一対の他コネクタ側コンタクトのうち前記一対の接続部と接触する部位よりも外側に突出する
請求項９又は１０に記載のヘッダ。
【請求項１２】
請求項１〜８のいずれか１項に記載のコネクタと、
前記コンタクトに電気的に接続される一対の他コネクタ側コンタクトを有する他コネクタと、を備える
接続装置。
【発明の詳細な説明】
【技術分野】
【０００１】
本発明は、一般にコネクタ、ヘッダ、及び接続装置に関し、より詳細には、電気部品同士を電気的に接続するためのコネクタ、ヘッダ、及び接続装置に関する。
【背景技術】
【０００２】
従来、電気部品同士を電気的に接続するためのコネクタが知られており、例えば特許文献１に開示されている。特許文献１に記載のコネクタは、絶縁体からなる略矩形状のハウジングと、ハウジングに配設されて回路基板と電気的に接続される複数の端子（コンタクト）と、を備えている。
【先行技術文献】
【特許文献】
【０００３】
【特許文献１】特開２０１５−８０５５号公報
【発明の概要】
【発明が解決しようとする課題】
【０００４】
ところで、上記従来例のようなコネクタでは、他コネクタの他コネクタ側コンタクトと電気的に接続された状態におけるコンタクトの強度を向上することが望まれている。
【０００５】
本発明は、上記の点に鑑みてなされており、他コネクタの他コネクタ側コンタクトと電気的に接続された状態におけるコンタクトの強度を向上することのできるコネクタ、ヘッダ、及び接続装置を提供することを目的とする。
【課題を解決するための手段】
【０００６】
第１の態様のコネクタは、ハウジングと、コンタクトと、を備える。前記ハウジングは、他コネクタの他コネクタ側ハウジングが嵌る凹部、及び前記凹部を囲む周壁を有する。前記コンタクトは、前記ハウジングに保持される。前記コンタクトは、一対の保持部と、一対の接続部と、を有する。前記一対の保持部は、前記凹部を挟んで前記周壁に保持される。前記一対の接続部は、それぞれ前記一対の保持部にて前記凹部に露出して対向するように設けられ、かつ、前記他コネクタの他コネクタ側コンタクトと電気的に接続される。
【０００７】
第２の態様のコネクタでは、第１の態様において、前記コンタクトは、一対の接合部を更に有する。前記一対の接合部は、前記コンタクトにおける前記一対の保持部が並ぶ方向の両端部の各々に設けられ、基板に接合される。
【０００８】
第３の態様のコネクタでは、第１又は第２の態様において、前記一対の接続部の各々は、ロック機構を有する。前記ロック機構は、所定以上の力が加わることにより前記コンタクトと前記他コネクタ側コンタクトとの接続状態を解除可能とする。
【０００９】
第４の態様のコネクタでは、第１〜第３のいずれかの態様において、前記コンタクトは、底部を更に有する。前記底部は、前記凹部の底壁にて前記一対の保持部を繋ぐ。前記一対の保持部の各々は、内側片と、外側片と、繋ぎ片と、を有する。前記内側片は、前記凹部に露出する。前記外側片は、前記内側片と対向する。前記繋ぎ片は、前記内側片及び前記外側片の各々における前記底部と反対側の一端を繋ぐ。前記一対の接続部の各々は、前記内側片である。
【００１０】
第５の態様のコネクタでは、第４の態様において、前記外側片は、前記周壁に保持される。
【００１１】
第６の態様のコネクタでは、第５の態様において、前記外側片は、前記内側片に対向する面と反対側の面が前記周壁の一部の壁に接している。
【００１２】
第７の態様のコネクタでは、第４〜第６のいずれかの態様において、前記一対の保持部は、前記凹部の内側にて障害物を挟むことなく対向している。
【００１３】
第８の態様のコネクタでは、第１の態様において、前記コンタクトは、一対の接合部と、底部と、を更に有する。前記一対の接合部は、前記一対の保持部よりも外側であって、前記コンタクトにおける前記一対の保持部が並ぶ方向の両端部の各々に設けられ、基板に接合される。前記底部は、前記凹部の底壁にて前記一対の保持部を繋ぐ。前記一対の保持部の各々は、内側片と、外側片と、繋ぎ片と、を有する。前記内側片は、前記凹部に露出する。前記外側片は、前記内側片と対向する。前記繋ぎ片は、前記内側片及び前記外側片の各々における前記底部と反対側の一端を繋ぐ。前記一対の接続部の各々は、前記内側片である。
【００１４】
第９の態様のヘッダは、第１〜第８のいずれかの態様のコネクタと接続される他コネクタとしてのヘッダであって、他コネクタ側ハウジングと、一対の他コネクタ側コンタクトと、を備える。前記他コネクタ側ハウジングは、前記凹部に嵌まる主部を有する。前記一対の他コネクタ側コンタクトは、それぞれ一部が前記主部の外側に露出するように前記主部に保持され、前記一対の接続部と１対１に電気的に接続される。
【００１５】
第１０の態様のヘッダでは、第９の態様において、前記一対の他コネクタ側コンタクトの間は、前記主部により埋められている。
【００１６】
第１１の態様のヘッダでは、第９又は第１０の態様において、前記他コネクタ側ハウジングは、一対のフランジを更に有する。前記一対のフランジは、前記主部における前記一対の他コネクタ側コンタクトが並ぶ方向と交差する方向の両端からそれぞれ突出する。前記一対のフランジは、前記一対の他コネクタ側コンタクトが並ぶ方向において、前記一対の他コネクタ側コンタクトよりも外側に突出する。
【００１７】
第１２の態様の接続装置は、第１〜第８のいずれかの態様のコネクタと、他コネクタと、を備える。前記他コネクタは、前記コンタクトに電気的に接続される一対の他コネクタ側コンタクトを有する。
【発明の効果】
【００１８】
本発明は、他コネクタの他コネクタ側コンタクトと電気的に接続された状態におけるコンタクトの強度を向上することができる、という利点がある。
【図面の簡単な説明】
【００１９】
【図１】図１は、実施形態１に係るコネクタの斜視図である。
【図２】図２は、同上のコネクタの上面図である。
【図３】図３は、同上のコネクタの下面図である。
【図４】図４は、同上のコネクタからハウジングを省略した状態の斜視図である。
【図５】図５Ａは、同上のコネクタにおけるコンタクトの斜視図である。図５Ｂは、同上のコネクタにおけるコンタクトの前面図である。
【図６】図６は、実施形態１に係る他コネクタの斜視図である。
【図７】図７Ａは、同上の他コネクタの上面図である。図７Ｂは、同上の他コネクタの下面図である。
【図８】図８Ａは、同上の他コネクタから他コネクタ側ハウジングを省略した状態の斜視図である。図８Ｂは、同上の他コネクタにおける他コネクタ側コンタクトの前面図である。
【図９】図９は、実施形態１に係る接続装置の斜視図である。
【図１０】図１０Ａは、同上の接続装置において、コネクタに他コネクタが接続される前の状態を示す断面図である。図１０Ｂは、同上の接続装置において、コネクタに他コネクタが接続された後の状態を示す断面図である。
【図１１】図１１は、実施形態２に係るコネクタの斜視図である。
【図１２】図１２Ａは、同上のコネクタの上面図である。図１２Ｂは、同上のコネクタの下面図である。
【図１３】図１３は、実施形態２に係る他コネクタの斜視図である。
【図１４】図１４Ａは、同上の他コネクタの上面図である。図１４Ｂは、同上の他コネクタの下面図である。
【発明を実施するための形態】
【００２０】
（実施形態１）
（１）概要
以下、実施形態１に係るコネクタ１０１の概要について図１〜図５Ｂを用いて説明する。本実施形態のコネクタ１０１は、例えばプリント配線板やフレキシブルプリント配線板などの基板４（図１０Ａ参照）に取り付けられる。コネクタ１０１は、例えばスマートフォン等の携帯端末に搭載されている複数の基板４の間を電気的に接続するために用いられる。もちろん、コネクタ１０１の用途を限定する趣旨ではなく、コネクタ１０１は、例えばカメラモジュール等の携帯端末以外の電子機器に用いられてもよい。また、コネクタ１０１は、複数の基板４の間を電気的に接続する用途に限られず、例えば基板４とディスプレイとの間や、基板４とバッテリとの間など、複数の部品の間を電気的に接続する用途であればよい。
【００２１】
コネクタ１０１は、ハウジング１と、コンタクト２と、を備えている。本実施形態では、コネクタ１０１は、４本のコンタクト２を備えている。ハウジング１は、他コネクタ１０２（図６参照）の他コネクタ側ハウジング１Ａ（図６参照。以下、「ハウジング１Ａ」ともいう）が嵌る凹部１３、及び凹部１３を囲む周壁１２を有している。コンタクト２は、ハウジング１に保持されている。ハウジング１の厚さ方向の寸法は、例えば数ｍｍ以下である。また、ハウジング１の長手方向の寸法は、例えば数ｍｍ〜十数ｍｍである。また、ハウジング１の短手方向の寸法は、例えば数ｍｍである。
【００２２】
コンタクト２は、一対の保持部２１と、一対の接続部２２と、を有している。一対の保持部２１は、ハウジング１の短手方向において凹部１３を挟んで周壁１２に保持されている。一対の接続部２２は、それぞれ一対の保持部２１にて凹部１３に露出して対向するように設けられている。そして、一対の接続部２２は、それぞれ他コネクタ１０２の他コネクタ側コンタクト２Ａ（図６参照。以下、「コンタクト２Ａ」ともいう）に電気的に接続される。
【００２３】
本実施形態のコネクタ１０１では、コネクタ１０１に他コネクタ１０２を接続した状態において、他コネクタ１０２の他コネクタ側コンタクト２Ａに接触する一対の接続部２２が、いずれもハウジング１に保持される。したがって、この構成によれば、他コネクタ１０２の他コネクタ側コンタクト２Ａと電気的に接続された状態におけるコンタクト２の強度を向上することができる。
【００２４】
（２）詳細
以下、本実施形態のコネクタ１０１、他コネクタ１０２、及び接続装置１００について詳細に説明する。以下では、ハウジング１，１Ａの長手方向を前後方向（第１方向）、ハウジング１，１Ａの短手方向を左右方向（第２方向）、ハウジング１，１Ａの厚さ方向を上下方向（第３方向）として説明する。なお、図１〜図１４Ｂには、コネクタ１０１（又は他コネクタ１０２）の中心から見たこれらの方向（上、下、左、右、前、後）を表す矢印を示すが、これらの矢印は、単に説明を補助する目的で記載しているに過ぎず、実体を伴わない。また、上記の方向の規定は、本実施形態のコネクタ１０１及び他コネクタ１０２の使用形態を限定する趣旨ではない。
【００２５】
（２．１）コネクタ
まず、本実施形態のコネクタ１０１について図１〜図５Ｂを用いて詳細に説明する。本実施形態のコネクタ１０１は、ソケット（メスコネクタ）であって、ハウジング１と、複数（ここでは、４本）のコンタクト２と、一対の取付金具３と、を備えている。
【００２６】
ハウジング１は、第１方向（前後方向）に長い扁平な直方体状であって、絶縁性を有する樹脂材料（例えば、ＬＣＰ（Liquid Crystal Polymer）樹脂）から成る樹脂成形体である。本実施形態では、ハウジング１は、一対の取付金具３をインサート品とするインサート成形品である。ハウジング１は、底壁１１と、周壁１２と、を有している。底壁１１は、第１方向に長い板状であって、ハウジング１の底部を構成する。周壁１２は、底壁１１の周縁から前向きに突出しており、平面視で矩形枠状である。以下、「平面視」は、第３方向（上下方向）から見ることをいう。
【００２７】
具体的には、周壁１２は、一対の第１周壁１２１と、一対の第２周壁１２２と、で構成されている。一対の第１周壁１２１は、周壁１２のうち第１方向（前後方向）に沿った一対の壁である。一対の第２周壁１２２は、周壁１２のうち第２方向（左右方向）に沿った一対の壁である。一対の第１周壁１２１、一対の第２周壁１２２、及び底壁１１で囲まれる部位は、他コネクタ１０２のハウジング１Ａが嵌る凹部１３を構成している。つまり、周壁１２は、凹部１３を囲んでいる。凹部１３に他コネクタ１０２のハウジング１Ａが嵌ることで、コネクタ１０１に他コネクタ１０２が接続される。
【００２８】
ハウジング１は、第１方向（前後方向）に間隔を空けて配置される４つのスリット１２３を有している。４つのスリット１２３は、いずれも平面視で第２方向（左右方向）に長い矩形状であって、一対の第１周壁１２１を第３方向（上下方向）に貫通する開口部、及び底壁１１を第３方向に貫通する開口部を繋いでいる。４本のコンタクト２は、それぞれ４つのスリット１２３に下方から押し込まれることにより、ハウジング１に保持されている。ここでいう「押し込まれる」とは、一定以上の力を加えて押し込まれること、つまり圧入を含む概念である。
【００２９】
ハウジング１は、第１方向（前後方向）の両端の各々において凹部１３の周縁に設けられるテーパ１２４を有している。テーパ１２４は、第３方向（上下方向）の一端（下端）から他端（上端）に向かうにつれて凹部１３の開口面積を広げるように傾斜している。テーパ１２４は、コネクタ１０１の凹部１３に他コネクタ１０２のハウジング１Ａを嵌めるときに、ハウジング１Ａを凹部１３に案内する面となる。
【００３０】
コンタクト２は、例えば銅合金などの金属材料からなる金属成形体である。また、コンタクト２には、金めっきが施されている。なお、コンタクト２には、金めっきが施されていなくてもよい。コンタクト２は、図４〜図５Ｂに示すように、一対の保持部２１と、底部２３と、一対の接合部２４と、を有しており、これらが一体に構成されている。
【００３１】
一対の保持部２１の各々は、内側片２１１と、外側片２１２と、繋ぎ片２１３と、を有しており、これらが一体に構成されている。また、一対の保持部２１の各々は、正面視で第３方向の一端（上端）を頂部とする逆Ｕ字状である。以下、「正面視」は、第１方向（前後方向）から見ることをいう。一対の保持部２１は、それぞれ第２方向（左右方向）に並ぶようにして、一対の第１周壁１２１に保持されている。つまり、一対の保持部２１は、凹部１３を挟んで周壁１２（第１周壁１２１）に保持されている。本実施形態では、一対の保持部２１の間には障害物（例えば、ハウジング１の一部など）が存在していない（図１参照）。つまり、一対の保持部２１は、凹部１３の内側にて障害物を挟むことなく対向している。
【００３２】
内側片２１１は、第３方向（上下方向）に長い矩形板状であり、凹部１３に露出している（図１参照）。内側片２１１は、他コネクタ１０２のハウジング１Ａが凹部１３に嵌った状態において、他コネクタ１０２のコンタクト２Ａに接触するように配置されている。具体的には、コンタクト２には、他コネクタ１０２の第２方向（左右方向）に並ぶ一対のコンタクト２Ａが電気的に接続される。そして、コンタクト２の第２方向の第１端側（左側）の内側片２１１は、ハウジング１Ａが凹部１３に嵌った状態において、第２方向の第２端側（右側）のコンタクト２Ａに接触する。同様に、コンタクト２の第２方向の第２端側（右側）の内側片２１１は、ハウジング１Ａが凹部１３に嵌った状態において、第２方向の第１端側（左側）のコンタクト２Ａに接触する。つまり、本実施形態では、一対の接続部２２は、それぞれ一対の保持部２１の内側片２１１である。
【００３３】
また、内側片２１１は、内側片２１１の厚さ方向（左右方向）に沿って突出する突起２１４と一体である。突起２１４は、他コネクタ１０２のハウジング１Ａが凹部１３に嵌った状態において、対応するコンタクト２Ａの突起２５１（後述する）と第３方向（上下方向）に並び、かつ、突起２５１よりも上方に位置する（図１０Ｂ参照）。このため、所定以上の力をもって他コネクタ１０２を凹部１３から引き抜こうとしない限り、コンタクト２Ａの突起２５１がコンタクト２の突起２１４に引っ掛かることにより、コネクタ１０１と他コネクタ１０２との接続状態が解除されない。つまり、コンタクト２の突起２１４及びコンタクト２Ａの突起２５１は、所定以上の力を加えることによりコネクタ１０１と他コネクタ１０２との接続状態を解除可能なロック機構を構成している。言い換えれば、一対の接続部２２（内側片２１１）の各々は、所定以上の力が加わることによりコンタクト２とコンタクト２Ａとの接続状態を解除可能とするロック機構（突起２１４）を有している。
【００３４】
外側片２１２は、第３方向（上下方向）に長い矩形板状であり、内側片２１１と対向している。外側片２１２は、コンタクト２の長手方向（第２方向）において、内側片２１１の外側に位置する。外側片２１２は、凹部１３には露出しておらず、周壁１２（第１周壁１２１）に保持されている。また、第２方向の第１端側（左側）の外側片２１２における一面（左面）は、第２方向の第１端側の第１周壁１２１の一部の壁に接している（図１０Ａ参照）。同様に、第２方向の第２端側（右側）の外側片２１２における一面（右面）は、第２方向の第２端側の第１周壁１２１の一部の壁に接している。つまり、外側片２１２は、内側片２１１に対向する面と反対側の面が周壁１２（第１周壁１２１）の一部の壁に接している。
【００３５】
繋ぎ片２１３は、内側片２１１の第３方向の一端（上端）と、外側片２１２の第３方向の一端（上端）とを繋いでいる。つまり、繋ぎ片２１３は、内側片２１１及び外側片２１２の底部２３と反対側の一端（上端）を繋いでいる。また、繋ぎ片２１３は、正面視で第３方向の一端（上端）を頂部とする逆Ｕ字状である。
【００３６】
底部２３は、第２方向（左右方向）に長い矩形板状である。底部２３は、スリット１２３のうちの底壁１１の開口部を塞ぐようにして、一対の保持部２１に挟まれた位置にある。底部２３の長手方向の第１端（左端）は、第２方向の第１端側（左側）の内側片２１１の一端（下端）と一体である。また、底部２３の長手方向の第２端（右端）は、第２方向の第２端側（右側）の内側片２１１の一端（下端）と一体である。つまり、底部２３は、凹部１３の底壁１１にて一対の保持部２１を繋いでいる。
【００３７】
一対の接合部２４は、コンタクト２の長手方向（第２方向）の両端部にそれぞれ設けられている。つまり、一対の接合部２４は、コンタクト２の長手方向において、一対の保持部２１よりも外側に位置する。一対の接合部２４は、いずれも第２方向（左右方向）において、ハウジング１から露出している。また、一対の接合部２４の各々の一面（下面）は、例えば半田付けにより基板４に接合される接合面である。つまり、一対の接合部２４は、コンタクト２における一対の保持部２１が並ぶ方向（第２方向）の両端部の各々に設けられている。そして、一対の接合部２４は、基板４に接合されるように構成されている。
【００３８】
ここで、本実施形態では、ハウジング１の第２方向（左右方向）の両側にそれぞれ複数の接合部２４が配置されている。そして、複数の接合部２４は、ハウジング１の第２方向の中心を通る線に対して、平面視で線対称に配置されている（図２参照）。このため、本実施形態では、例えば半田付けにより複数のコンタクト２を基板４に接合するときに、ハウジング１の第２方向の両側で同等のセルフアライメント現象が生じ易い。したがって、本実施形態では、ハウジング１の第２方向の両側でのセルフアライメント現象に偏りが生じ難く、セルフアライメント現象に起因するコネクタ１０１の基板４に対する回転が生じ難い。
【００３９】
複数のコンタクト２は、第１端子５１と、第２端子５２と、に大別される（図１参照）。第１端子５１及び第２端子５２は、いずれも信号用の端子として用いることが可能である。本実施形態では、４本のコンタクト２のうち、第１端子５１が２本、第２端子５２が２本である。また、本実施形態では、４本のコンタクト２がハウジング１の長手方向（第１方向）に並んでおり、かつ、２本の第１端子５１を挟むように２本の第２端子５２が配置されている。第２端子５２の幅寸法（第１方向（前後方向）の寸法）は、第１端子５１の幅寸法よりも大きい。このため、第２端子５２のインピーダンスは、第１端子５１のインピーダンスよりも小さい。つまり、第２端子５２の定格電流は、第１端子５１の定格電流よりも大きくなっている。したがって、第２端子５２は、例えばバッテリ等の電源用の端子として用いることも可能である。
【００４０】
一対の取付金具３の各々は、例えば銅合金などの金属材料からなる金属成形体である。一対の取付金具３は、それぞれハウジング１の長手方向（第１方向）の両端に設けられている。一対の取付金具３は、ハウジング１に取り付けられることで、ハウジング１の強度を高める機能を有している。一対の取付金具３の各々は、１つの主片３１と、一対の側片３２と、一対の底片３３と、を有しており、これらが一体に構成されている。以下の説明では、一対の取付金具３のうち、ハウジング１の第１方向の第１端（前端）に取り付けられる取付金具３を例として説明するが、ハウジング１の第１方向の第２端（後端）に取り付けられる取付金具３も同様の構成である。
【００４１】
主片３１は、第１方向の一端側（ここでは、前側）の第２周壁１２２に取り付けられている。一対の側片３２は、それぞれ主片３１の第２方向（左右方向）の両端からハウジング１の内側に向かう向き（ここでは、後向き）に突出している。一対の側片３２は、いずれも下向きに突出する突片３２１を有している。突片３２１の第３方向の一端（下端）は、ハウジング１の底壁１１を貫通して露出している（図３参照）。そして、突片３２１の一面（下面）は、例えば半田付けにより基板４に接合される接合面である。
【００４２】
一対の底片３３は、それぞれ主片３１の第３方向の一端（後端）と一体であり、ハウジング１の底壁１１に沿うように曲げられている。第２方向の第１端側（左側）の底片３３は、第２方向の第１端側（左側）に位置する複数（ここでは、４つ）の接合部２４と第１方向（前後方向）に並ぶように、ハウジング１に保持されている。同様に、第２方向の第２端側（右側）の底片３３は、第２方向の第２端側（右側）に位置する複数（ここでは、４つ）の接合部２４と第１方向（前後方向）に並ぶように、ハウジング１に保持されている。一対の底片３３の各々の一面（下面）は、ハウジング１の底壁１１から露出しており、例えば半田付けにより基板４に接合される接合面である。
【００４３】
（２．２）他コネクタ
次に、本実施形態のコネクタ１０１に対応する他コネクタ１０２について図６〜図８Ｂを用いて詳細に説明する。本実施形態の他コネクタ１０２は、ヘッダ（オスコネクタ）であって、ハウジング１Ａと、複数（ここでは、８本）のコンタクト２Ａと、を備えている。本実施形態では、第２方向（左右方向）に並ぶ一対のコンタクト２Ａを１つのコンタクト群として、複数（ここでは、４つ）のコンタクト群が、第１方向（前後方向）に並んだ状態でハウジング１Ａに保持されている。複数のコンタクト群は、それぞれコネクタ１０１の複数のコンタクト２に１対１に対応している。
【００４４】
ハウジング１Ａは、絶縁性を有する樹脂成形体である。本実施形態では、ハウジング１Ａは、複数のコンタクト２Ａをインサート品とするインサート成形品である。ハウジング１Ａは、主部１４と、一対のフランジ１５と、を有している。
【００４５】
主部１４は、第１方向（前後方向）に長い扁平な直方体状である。主部１４は、一対のフランジ１５を含めて、コネクタ１０１の凹部１３に嵌る寸法である。主部１４の第２方向（左右方向）の両側からは、それぞれ複数のコンタクト２Ａの一部が露出している。本実施形態では、主部１４の第２方向の第１端側（左側）には、４本のコンタクト２Ａが第１方向に並んだ状態で保持されており、各コンタクト２Ａの接触片２５（後述する）及び端子片２７（後述する）が露出している。同様に、主部１４の第２方向の第２端側（右側）には、４本のコンタクト２Ａが第１方向に並んだ状態で保持されており、各コンタクト２Ａの接触片２５及び端子片２７が露出している。ここで、第２方向に並ぶ一対のコンタクト２Ａは、第２方向において間隔を空けて、中実である主部１４に保持されている。つまり、一対のコンタクト２Ａの間は、ハウジング１Ａにより埋められている。
【００４６】
複数のコンタクト群は、コネクタ１０１の凹部１３にハウジング１Ａが嵌った状態において、それぞれ複数のコンタクト２の一対の接続部２２に１対１に電気的に接続される。このため、本実施形態では、第２方向（左右方向）に並ぶ一対のコンタクト２Ａは、同電位に電気的に接続される。つまり、他コネクタ１０２は、それぞれ一部が主部１４の外側に露出するようにハウジング１Ａに保持され、一対の接続部２２と１対１に電気的に接続される一対のコンタクト２Ａを少なくとも１つ（本実施形態では、４つ）備えている。
【００４７】
一対のフランジ１５は、それぞれ主部１４の第１方向（前後方向）の両端から突出している。一対のフランジ１５の各々の第２方向（左右方向）の寸法は、主部１４の第２方向の寸法よりも大きい。具体的には、一対のフランジ１５の各々の第２方向の寸法は、正面視で主部１４から突出する複数のコンタクト２Ａの接触片２５が隠れる程度の寸法である。つまり、他コネクタ１０２は、主部１４における一対のコンタクト２Ａが並ぶ方向（第２方向）と交差する方向（第１方向）の両端からそれぞれ突出する一対のフランジ１５を更に有している。そして、一対のフランジ１５は、一対のコンタクト２Ａが並ぶ方向（第２方向）において、一対のコンタクト２Ａのうちの一対の接続部２２と接触する部位（接触片２５）よりも外側に突出している。
【００４８】
コンタクト２Ａは、例えば銅合金などの金属材料から成る金属成形体である。また、コンタクト２Ａには、金めっきが施されている。なお、コンタクト２Ａには、金めっきが施されていなくてもよい。コンタクト２Ａは、接触片２５と、垂下片２６と、端子片２７と、を有しており、これらが一体に構成されている（図８Ａ、図８Ｂ参照）。接触片２５は、矩形板状である。接触片２５は、主部１４の第２方向（左右方向）の一面から露出するように設けられている。接触片２５は、コネクタ１０１の凹部１３にハウジング１Ａが嵌った状態において、対応する接続部２２と接触するように構成されている。
【００４９】
また、接触片２５は、接触片２５の厚さ方向（左右方向）に沿って突出する突起２５１と一体である。突起２５１は、コネクタ１０１の凹部１３にハウジング１Ａが嵌った状態において、対応するコンタクト２の突起２１４と第３方向（上下方向）に並び、かつ、突起２１４よりも下方に位置する（図１０Ｂ参照）。突起２５１は、既に述べたように、コンタクト２の突起２１４と合わせて、所定以上の力を加えることによりコネクタ１０１と他コネクタ１０２との接続状態を解除可能なロック機構を構成している。
【００５０】
垂下片２６は、第３方向（上下方向）に長い矩形板状である。垂下片２６は、第２方向（左右方向）において接触片２５と対向している。垂下片２６の第３方向の第１端（上端）は、逆Ｕ字状に湾曲しており、接触片２５の第３方向の第１端（上端）と一体である。
【００５１】
端子片２７は、第２方向（左右方向）に長い矩形板状である。端子片２７の第２方向の第１端は、垂下片２６の第３方向の第２端（下端）と一体である。また、端子片２７の第２方向の第２端は、ハウジング１Ａから露出している。端子片２７の第３方向の一面（下面）は、例えば半田付けにより基板４に接合される接合面である。
【００５２】
ここで、本実施形態では、ハウジング１Ａの第２方向（左右方向）の両側にそれぞれ複数の端子片２７が配置されている。そして、複数の端子片２７は、ハウジング１Ａの第２方向の中心を通る線に対して、平面視で線対称に配置されている（図７Ａ参照）。このため、本実施形態では、例えば半田付けにより複数のコンタクト２Ａを基板４に接合するときに、ハウジング１Ａの第２方向の両側で同等のセルフアライメント現象が生じ易い。したがって、本実施形態では、ハウジング１Ａの第２方向の両側でのセルフアライメント現象に偏りが生じ難く、セルフアライメント現象に起因する他コネクタ１０２の基板４に対する回転が生じ難い。
【００５３】
複数のコンタクト２Ａは、コンタクト２と同様に、第１端子５１と、第２端子５２と、に大別される。本実施形態では、８本のコンタクト２Ａのうち、第１端子５１が４本、第２端子５２が４本である。また、本実施形態では、主部１４の第２方向（左右方向）の両側にそれぞれ４本のコンタクト２Ａがハウジング１Ａの長手方向（第１方向）に並んでいる。また、主部１４の第２方向の両側の各々において、２本の第１端子５１を挟むように２本の第２端子５２が配置されている。また、本実施形態では、他コネクタ１０２は、取付金具３を有していない。代わりに、第２端子５２としての４本のコンタクト２Ａは、取付金具として機能している。
【００５４】
本実施形態では、コンタクト２，２Ａのいずれにおいても、第１方向（前後方向）から見て、第１端子５１の断面の形状は、第２端子５２の断面の形状と同一である。ここでいう「同一」は、「ほぼ同一」を含む表現である。したがって、製造上の誤差又はバラツキにより第１端子５１及び第２端子５２の各々の断面の形状が互いに僅かに異なるのは、許容範囲内の誤差である。
【００５５】
（２．３）接続装置
コネクタ１０１は、例えばスマートフォン等の電子機器に内蔵された基板４（以下、「第１基板４１」ともいう）に実装される（図１０Ａ参照）。また、コネクタ１０１に対応する他コネクタ１０２は、同じく電子機器に内蔵された他の基板４（以下、「第２基板４２」ともいう）に実装される（図１０Ａ参照）。
【００５６】
そして、図１０Ａ、図１０Ｂに示すように、コネクタ１０１を他コネクタ１０２に接続することにより、第１基板４１の有する第１導体と、第２基板４２の有する第２導体との間が電気的に接続される。具体的には、コネクタ１０１の複数のコンタクト２が、他コネクタ１０２の複数対のコンタクト２Ａに電気的に接続されることで、コネクタ１０１が他コネクタ１０２に接続される。このとき、コネクタ１０１の複数（ここでは、２本）の第１端子５１は、それぞれ他コネクタ１０２の対応する複数対（ここでは、２対）の第１端子５１に電気的に接続される。また、コネクタ１０１の複数（ここでは、２本）の第２端子５２は、それぞれ他コネクタ１０２の対応する複数対（ここでは、２対）の第２端子５２に電気的に接続される。つまり、本実施形態では、コネクタ１０１と、他コネクタ１０２とで、接続装置１００が構成されている。言い換えれば、接続装置１００は、コネクタ１０１と、コンタクト２に電気的に接続される一対のコンタクト２Ａを有する他コネクタ１０２と、を備えている。なお、図１０Ａ、図１０Ｂでは、他コネクタ１０２は、前後を反転させた状態で図示されている。
【００５７】
ここで、コネクタ１０１を他コネクタ１０２に接続するとき、図１０Ｂに示すように、一対の接続部２２（内側片２１１）は、一対のコンタクト２Ａに第２方向（左右方向）に沿った向きに押される。このため、一対の接続部２２は、それぞれ第２方向に沿った向きに弾性変形した状態で一対のコンタクト２Ａに接触する。具体的には、第２方向の第１端側（左側）の保持部２１では、内側片２１１及び外側片２１２が左向きに弾性変形する。同様に、第２方向の第２端側（右側）の保持部２１では、内側片２１１及び外側片２１２が右向きに弾性変形する。したがって、コネクタ１０１が他コネクタ１０２に接続された状態において、一対の接続部２２は、それぞれ元の状態に復帰しようとする弾性力を一対のコンタクト２Ａに与えている。つまり、コンタクト２は、一対の接続部２２が一対のコンタクト２Ａに押されることにより、一対の接続部２２の間の距離が長くなるように外側へ撓む構造を有している。
【００５８】
また、外側片２１２の接する第１周壁１２１の一部の壁は、弾性変形した外側片２１２に押されることにより、僅かではあるが弾性変形する。具体的には、この壁は、ハウジング１の短手方向（第２方向）の寸法が数ｍｍ、第１周壁１２１の短手方向（第２方向）の寸法が数百μｍであるのに対して、数μ〜数十μｍ程度、弾性変形する。
【００５９】
（３）利点
本実施形態のコネクタ１０１では、コンタクト２は、一対の接続部２２を有している。そして、本実施形態のコネクタ１０１では、一対の接続部２２を含む一対の保持部２１が、ハウジング１に保持されている。つまり、本実施形態のコネクタ１０１では、１つのコンタクト２が電気的な接点を２つ有しており、かつ、２つの接点がハウジング１に保持されている。このため、コネクタ１０１に他コネクタ１０２を接続した状態において、他コネクタ１０２の他コネクタ側コンタクト２Ａに接触する一対の接続部２２が、いずれもハウジング１に保持される。したがって、本実施形態のコネクタ１０１は、他コネクタ１０２の他コネクタ側コンタクト２Ａと電気的に接続された状態におけるコンタクト２の強度を向上することができる。
【００６０】
ここで、特許文献１に記載のコネクタ（以下、「比較例のコネクタ」という）では、ソケット側端子（コンタクト）は、本実施形態のコネクタ１０１と同様に、ヘッダ側端子（他コネクタ側コンタクト）と接触する電気的な接点を２つ有している。しかしながら、比較例のコネクタでは、コンタクトの２つの接点のうち一方の接点は、ハウジングに保持されておらず、ハウジングに対して自由に移動可能である。一方、本実施形態のコネクタ１０１では、コンタクト２の一対の接続部２２はいずれもハウジング１に保持されている。したがって、本実施形態のコネクタ１０１では、コネクタ１０１に他コネクタ１０２を接続した状態において、一対の接続部２２がそれぞれ他コネクタ側コンタクト２Ａにより押される力を、ハウジング１が受けることが可能である。
【００６１】
つまり、本実施形態のコネクタ１０１は、比較例のコネクタと比較して、一対の接続部２２により他コネクタ側コンタクト２Ａを挟み込む力が強い。このため、本実施形態のコネクタ１０１では、コネクタ１０１に対して他コネクタ１０２がずれる向きの外力を受けたとしても、コネクタ１０１から他コネクタ１０２が外れ難い、という利点もある。
【００６２】
（４）変形例
本実施形態のコネクタ１０１では、第１周壁１２１の長手方向の寸法が第２周壁１２２の長手方向の寸法よりも大きくなっているが、他の構成であってもよい。例えば、第１周壁１２１の長手方向の寸法は、第２周壁１２２の長手方向の寸法よりも小さくてもよい。また、第１周壁１２１の長手方向の寸法は、第２周壁１２２の長手方向の寸法と略同じであってもよい。この場合、本実施形態の他コネクタ１０２も、コネクタ１０１の形状に合わせて適宜変更される。
【００６３】
本実施形態では、コンタクト２は、一対の接合部２４の各々の一面（下面）を基板４に半田付けすることにより、基板４に固定されているが、他の構成であってもよい。例えば、コンタクト２は、一対の接合部２４に加えて、底部２３の一面（下面）を基板４に半田付けすることにより、基板４に固定されてもよい。また、コンタクト２は、底部２３の一面（下面）のみを基板４に半田付けすることにより、基板４に固定されてもよい。
【００６４】
本実施形態において、他コネクタ１０２の第２方向（左右方向）に並ぶ一対のコンタクト２Ａは一体であってもよい。この構成は、例えば第２方向に並ぶ一対のコンタクト２Ａの各々の垂下片２６を繋ぎ、１つの金属成形体とすることで実現可能である。この場合、他コネクタ１０２は、第１方向（前後方向）に並ぶ４本のコンタクト２Ａを有することになる。
【００６５】
本実施形態では、コネクタ１０１は、第１端子５１としてのコンタクト２を２本、第２端子５２としてのコンタクト２を２本有しているが、コンタクト２の本数を限定する趣旨ではない。例えば、コネクタ１０１は、第１端子５１としてのコンタクト２を３本以上有していてもよいし、第２端子５２としてのコンタクト２を３本以上有していてもよい。また、コネクタ１０１は、例えば第１端子５１としてのコンタクト２のみを有していてもよい。その他、コネクタ１０１は、例えば第２端子５２としてのコンタクト２のみを有していてもよい。
【００６６】
本実施形態では、コンタクト２は、スリット１２３に下方から押し込まれることによりハウジング１に保持されているが、他の構成であってもよい。例えば、ハウジング１は、コンタクト２をインサート品とするインサート成形品であってもよい。この構成では、スリット１２３は不要である。
【００６７】
本実施形態では、他コネクタ１０２は取付金具３を備えていないが、取付金具３を備えていてもよい。この場合、取付金具３は、例えば主部１４の長手方向（第２方向）の両端の各々に設けられていてもよい。また、この場合、取付金具３の形状は、他コネクタ１０２の形状に合わせて適宜変更されてよい。
【００６８】
（実施形態２）
（１）詳細
以下、実施形態２に係るコネクタ１０１、他コネクタ１０２、及び接続装置１００について図１１〜図１４Ｂを用いて詳細に説明する。ただし、本実施形態の基本的な構成は、実施形態１のコネクタ１０１、他コネクタ１０２、及び接続装置１００と共通しているので、共通する点については説明を省略する。また、本実施形態では、接続装置１００は、本実施形態のコネクタ１０１と、本実施形態の他コネクタ１０２とで構成されている。
【００６９】
（１．１）コネクタ
本実施形態のコネクタ１０１では、後述する一対のフランジ１５を備えない他コネクタ１０２が凹部１３に嵌るため、一対のフランジ１５の分だけ凹部１３の長手方向（第１方向）の寸法が小さくなっている。また、本実施形態のコネクタ１０１では、実施形態１のコネクタ１０１とは異なり、第２端子５２としての２つのコンタクト２の各々において、一対の保持部２１は、いずれも第１周壁１２１により覆われている。更に、本実施形態のコネクタ１０１では、一対の取付金具３は、いずれも突片３２１を有していない。
【００７０】
したがって、本実施形態のコネクタ１０１では、ハウジング１の長手方向（第１方向）の寸法は、実施形態１のハウジング１の長手方向の寸法よりも小さくなっている。
【００７１】
（１．２）他コネクタ
本実施形態の他コネクタ１０２では、実施形態１の他コネクタ１０２とは異なり、ハウジング１Ａは、主部１４のみを備えており、一対のフランジ１５を備えていない。したがって、本実施形態の他コネクタ１０２では、ハウジング１Ａの長手方向（第１方向）の寸法は、実施形態１のハウジング１Ａの長手方向の寸法よりも小さくなっている。また、本実施形態の他コネクタ１０２では、端子片２７の第２方向（左右方向）の寸法は、第１端子５１としてのコンタクト２Ａの方が、第２端子５２としてのコンタクト２Ａよりも大きくなっている。つまり、端子片２７のハウジング１Ａからの突出力は、第１端子５１としてのコンタクト２Ａの方が、第２端子５２としてのコンタクト２Ａよりも大きくなっている。このように、第１端子５１としてのコンタクト２Ａにおいて、端子片２７のハウジング１Ａからの突出量を大きくし、端子片２７の基板４に対する接合面積を大きくすることで、コンタクト２Ａを基板４に対してより強固に固定することができる。
【００７２】
上述のように、本実施形態のコネクタ１０１及び他コネクタ１０２は、それぞれ実施形態１のコネクタ１０１及び他コネクタ１０２と比較して、長手方向（第１方向）の寸法が小さくなっている。つまり、本実施形態のコネクタ１０１及び他コネクタ１０２は、他コネクタ１０２が一対のフランジ１５を有していないため、それぞれ実施形態１のコネクタ１０１及び他コネクタ１０２と比較して小型化が図られている。
【００７３】
本実施形態のコネクタ１０１、他コネクタ１０２、及び接続装置１００は、実施形態１のコネクタ１０１、他コネクタ１０２、及び接続装置１００と同様に、実施形態１の変形例と適宜組み合わせることが可能である。
【００７４】
（まとめ）
以上述べたように、第１の態様のコネクタ（１０１）は、ハウジング（１）と、コンタクト（２）と、を備える。ハウジング（１）は、他コネクタ（１０２）の他コネクタ側ハウジング（１Ａ）が嵌る凹部（１３）、及び凹部（１３）を囲む周壁（１２）を有する。コンタクト（２）は、ハウジング（１）に保持される。コンタクト（２）は、一対の保持部（２１）と、一対の接続部（２２）と、を有する。一対の保持部（２１）は、凹部（１３）を挟んで周壁（１２）に保持される。一対の接続部（２２）は、それぞれ一対の保持部（２１）にて凹部（１３）に露出して対向するように設けられ、かつ、他コネクタ（１０２）の他コネクタ側コンタクト（２Ａ）と電気的に接続される。
【００７５】
この構成によれば、コネクタ（１０１）に他コネクタ（１０２）を接続した状態において、他コネクタ（１０２）の他コネクタ側コンタクト（２Ａ）に接触する一対の接続部（２２）が、いずれもハウジング（１）に保持される。したがって、この構成によれば、他コネクタ（１０２）の他コネクタ側コンタクト（２Ａ）と電気的に接続された状態におけるコンタクト（２）の強度を向上することができる。
【００７６】
第２の態様のコネクタ（１０１）では、第１の態様において、コンタクト（２）は、一対の接合部（２４）を更に有する。一対の接合部（２４）は、コンタクト（２）における一対の保持部（２１）が並ぶ方向の両端部の各々に設けられ、基板（４）に接合される。
【００７７】
この構成によれば、コンタクト（２）の両端が基板（４）に固定されることにより、一対の保持部（２１）がハウジング（１）により強固に保持され易い。したがって、この構成によれば、他コネクタ（１０２）の他コネクタ側コンタクト（２Ａ）と電気的に接続された状態におけるコンタクト（２）の強度をより向上することができる。また、この構成によれば、コンタクト（２）の少なくとも２以上の箇所が基板（４）に接合されるため、コンタクト（２）の放熱性を向上することが可能である。ただし、この構成は必須ではなく、コンタクト（２）における一対の接合部（２４）以外の部位が基板（４）に接合されてもよい。例えば、コンタクト（２）の底部（２３）が基板（４）に接合されてもよい。
【００７８】
第３の態様のコネクタ（１０１）では、第１又は第２の態様において、一対の接続部（２２）の各々は、ロック機構（突起（２１４））を有する。ロック機構は、所定以上の力が加わることによりコンタクト（２）と他コネクタ側コンタクト（２Ａ）との接続状態を解除可能とする。
【００７９】
この構成によれば、ロック機構により、コネクタ（１０１）から他コネクタ（１０２）が外れ難い。特に、この構成によれば、一対の接続部（２２）の各々がロック機構を有していることから、１つのロック機構のみを有する構成と比較して、コネクタ（１０１）から他コネクタ（１０２）がより外れ難い。ただし、この構成は必須ではなく、一対の接続部（２２）の各々は、ロック機構を有していなくてもよい。また、一対の接続部（２２）のうちの一方のみがロック機構を有していてもよい。
【００８０】
第４の態様のコネクタ（１０１）では、第１〜第３のいずれかの態様において、コンタクト（２）は、底部（２３）を更に有する。底部（２３）は、凹部（１３）の底壁（１１）にて一対の保持部（２１）を繋ぐ。一対の保持部（２１）の各々は、内側片（２１１）と、外側片（２１２）と、繋ぎ片（２１３）と、を有する。内側片（２１１）は、凹部（１３）に露出する。外側片（２１２）は、内側片（２１１）と対向する。繋ぎ片（２１３）は、内側片（２１１）及び外側片（２１２）の各々における底部（２３）と反対側の一端を繋ぐ。一対の接続部（２２）の各々は、内側片（２１１）である。
【００８１】
この構成によれば、コネクタ（１０１）に他コネクタ（１０２）を接続した状態において、接続部（２２）である内側片（２１１）が他コネクタ側コンタクト（２Ａ）に弾性力を与えながら接触する。したがって、この構成によれば、コンタクト（２）と他コネクタ側コンタクト（２Ａ）との電気的接続の信頼性の向上を図ることができる。ただし、この構成は必須ではなく、例えば一対の保持部（２１）は、内側片（２１１）、外側片（２１２）、及び繋ぎ片（２１３）を有していなくてもよい。
【００８２】
第５の態様のコネクタ（１０１）では、第４の態様において、外側片（２１２）は、周壁（１２）に保持される。
【００８３】
この構成によれば、接続部（２２）である内側片（２１１）の弾性を確保しながら、接続部（２２）をハウジング（１）に保持させることが可能である。ただし、この構成は必須ではなく、コンタクト（２）の外側片（２１２）以外の部位（例えば、底部（２３））がハウジング（１）に保持されていてもよい。
【００８４】
第６の態様のコネクタ（１０１）では、第５の態様において、外側片（２１２）は、内側片（２１１）に対向する面と反対側の面が周壁（１２）の一部の壁に接している。
【００８５】
この構成によれば、コネクタ（１０１）に他コネクタ（１０２）を接続するときに、他コネクタ側コンタクト（２Ａ）に押されても、外側片（２１２）が過度に弾性変形し難い。ただし、この構成は必須ではなく、外側片（２１２）の上記反対側の面は、周壁（１２）の一部の壁に接していなくてもよい。
【００８６】
第７の態様のコネクタ（１０１）では、第４〜第６のいずれかの態様において、一対の保持部（２１）は、凹部（１３）の内側にて障害物を挟むことなく対向している。
【００８７】
この構成によれば、凹部（１３）の内側に障害物が存在する場合と比較して、一対の保持部（２１）の間の距離を小さくすることができる。したがって、この構成によれば、コンタクト（２）の小型化を図ることができ、結果としてコンタクト（２）を保持するハウジング（１）の小型化を図ることが可能である。ただし、この構成は必須ではなく、一対の保持部（２１）は、例えば凹部（１３）の内側にてハウジング（１）の一部を挟んで対向していてもよい。
【００８８】
第８の態様のコネクタ（１０１）では、第１の態様において、コンタクト（２）は、一対の接合部（２４）と、底部（２３）と、を更に有する。一対の接合部（２４）は、一対の保持部（２１）よりも外側であって、コンタクト（２）における一対の保持部（２１）が並ぶ方向の両端部の各々に設けられ、基板（４）に接合される。底部（２３）は、凹部（１３）の底壁（１１）にて一対の保持部（２１）を繋ぐ。一対の保持部（２１）の各々は、内側片（２１１）と、外側片（２１２）と、繋ぎ片（２１３）と、を有する。内側片（２１１）は、凹部（１３）に露出する。外側片（２１２）は、内側片（２１１）と対向する。繋ぎ片（２１３）は、内側片（２１１）及び外側片（２１２）の各々における底部（２３）と反対側の一端を繋ぐ。一対の接続部（２２）の各々は、内側片（２１１）である。
【００８９】
この構成によれば、コネクタ（１０１）に他コネクタ（１０２）を接続した状態において、接続部（２２）である内側片（２１１）が他コネクタ側コンタクト（２Ａ）に弾性力を与えながら接触する。したがって、この構成によれば、コンタクト（２）と他コネクタ側コンタクト（２Ａ）との電気的接続の信頼性の向上を図ることができる。また、この構成によれば、一対の接合部（２４）が、一対の保持部（２１）の並ぶ方向において一対の保持部（２１）の外側で基板（４）に固定される。このため、この構成によれば、コネクタ（１０１）に他コネクタ（１０２）を接続した状態において、接続部（２２）が他コネクタ側コンタクト（２Ａ）により押される力を接合部（２４）で受けることが可能である。したがって、この構成によれば、コンタクト（２）と他コネクタ側コンタクト（２Ａ）との電気的接続の信頼性の向上を更に図ることができる。ただし、この構成は必須ではなく、例えば一対の保持部（２１）は、内側片（２１１）、外側片（２１２）、及び繋ぎ片（２１３）を有していなくてもよい。また、例えば一対の接合部（２４）は、一対の保持部（２１）が並ぶ方向において一対の保持部（２１）の内側にあってもよい。
【００９０】
第９の態様のヘッダは、第１〜第８のいずれかの態様のコネクタ（１０１）と接続される他コネクタ（１０２）としてのヘッダであって、他コネクタ側ハウジング（１Ａ）と、一対の他コネクタ側コンタクト（２Ａ）と、を備える。他コネクタ側ハウジング（１Ａ）は、凹部（１３）に嵌まる主部（１４）を有する。一対の他コネクタ側コンタクト（２Ａ）は、それぞれ一部が主部（１４）の外側に露出するように主部（１４）に保持され、一対の接続部（２２）と１対１に電気的に接続される。
【００９１】
この構成によれば、他コネクタ（１０２）の他コネクタ側コンタクト（２Ａ）と電気的に接続された状態におけるコンタクト（２）の強度を向上することのできるコネクタ（１０１）に用いることが可能である。
【００９２】
第１０の態様のヘッダでは、第９の態様において、一対の他コネクタ側コンタクト（２Ａ）の間は、主部（１４）により埋められている。
【００９３】
この構成によれば、コネクタ（１０１）にヘッダ（他コネクタ（１０２））を接続した状態において、他コネクタ側コンタクト（２Ａ）が接続部（２２）により押される力を主部（１４）で受けることが可能である。したがって、この構成によれば、他コネクタ側コンタクト（２Ａ）が過度に弾性変形し難い。ただし、この構成は必須ではなく、一対の他コネクタ側コンタクト（２Ａ）の間には、隙間があってもよい。
【００９４】
第１１の態様のヘッダでは、第９又は第１０の態様において、他コネクタ側ハウジング（１Ａ）は、一対のフランジ（１５）を更に有する。一対のフランジ（１５）は、主部（１４）における一対の他コネクタ側コンタクト（２Ａ）が並ぶ方向と交差する方向の両端からそれぞれ突出する。一対のフランジ（１５）は、一対の他コネクタ側コンタクト（２Ａ）が並ぶ方向において、一対の他コネクタ側コンタクト（２Ａ）のうちの一対の接続部（２２）と接触する部位よりも外側に突出する。
【００９５】
この構成によれば、コネクタ（１０１）に他コネクタ（１０２）を接続するときに、他コネクタ（１０２）がコネクタ（１０１）に対して第２方向（左右方向）にずれた状態で嵌まり難い。したがって、この構成によれば、コネクタ（１０１）に他コネクタ（１０２）を接続するときに、他コネクタ側コンタクト（２Ａ）がコンタクト（２）以外の部位に接触し難い。ただし、この構成は必須ではなく、他コネクタ側ハウジング（１Ａ）は、一対のフランジ（１５）を有していなくてもよい。
【００９６】
第１２の態様の接続装置（１００）は、第１〜第８のいずれかの態様のコネクタ（１０１）と、他コネクタ（１０２）と、を備える。他コネクタ（１０２）は、コンタクト（２）に電気的に接続される一対の他コネクタ側コンタクト（２Ａ）を有する。
【００９７】
この構成によれば、他コネクタ（１０２）の他コネクタ側コンタクト（２Ａ）と電気的に接続された状態におけるコンタクト（２）の強度を向上することのできる接続装置（１００）を実現することができる。
【００９８】
以上、実施形態１，２に係るコネクタ１０１、他コネクタ１０２、及び接続装置１００について説明した。ただし、以上に説明した実施形態１，２は、本発明の様々な実施形態の一つに過ぎない。上記の実施形態１，２は、本発明の目的を達成できれば、設計等に応じて種々の変更が可能である。
【符号の説明】
【００９９】
１  ハウジング
１Ａ  他コネクタ側ハウジング
１１  底壁
１２  周壁
１３  凹部
１４  主部
１５  フランジ
２  コンタクト
２Ａ  他コネクタ側コンタクト
２１  保持部
２１１  内側片
２１２  外側片
２１３  繋ぎ片
２１４  突起（ロック機構）
２２  接続部
２３  底部
２４  接合部
４  基板
１００  接続装置
１０１  コネクタ
１０２  他コネクタ（ヘッダ）
【図１】
2018152190.tif 000003
【図２】
2018152190.tif 000004
【図３】
2018152190.tif 000005
【図４】
2018152190.tif 000006
【図５】
2018152190.tif 000007
【図６】
2018152190.tif 000008
【図７】
2018152190.tif 000009
【図８】
2018152190.tif 000010
【図９】
2018152190.tif 000011
【図１０】
2018152190.tif 000012
【図１１】
2018152190.tif 000013
【図１２】
2018152190.tif 000014
【図１３】
2018152190.tif 000015
【図１４】
2018152190.tif 000016